(57)【要約】      （修正有）【課題】物品を容易にパレットに固定することができ、パレット上で物品のぐらつきを防止する紙製パレットを提供する。【解決手段】パレット本体１０と、物品を載置する側のパレット本体の面である第１面に設けられた板状の紙部材２１，２２と、紙部材とパレット本体を接合する接合部材３０と、を備え、紙部材は、物品側面で物品を固定するための固定部材がねじ込まれる物品の搬送に用いる紙製パレット１。【選択図】図１
0003134758.tif 000002
【実用新案登録請求の範囲】
【請求項１】
物品の搬送に用いる紙製パレット（１）であって、
パレット本体（１０）と、
前記物品を載置する側の前記パレット本体の面である第１面に設けられた板状の紙部材（２１，２２）と、
前記紙部材と前記パレット本体を接合する接合部材（３０）と、
を備え、
前記紙部材は、前記物品を固定するための固定部材（５１）がねじ込まれる、
紙製パレット。
【請求項２】
前記紙部材は、
複数の所定厚の紙を隙間なく張り合わせた特殊紙から成り、前記パレット本体の前記第１面と接する第１紙部材（２１）と、
前記特殊紙を積層させた部材であり、前記第１紙部材に重ねて設けられる第２紙部材（２２）と、
からなり、
前記紙部材のうち少なくとも前記第２紙部材は、前記固定部材としてのタッピンネジがねじ込まれる、
請求項１に記載の紙製パレット。
【請求項３】
前記パレット本体は、緩衝性のあるダンボール紙から成り、
前記接合部材は、接着剤およびステープルのうち少なくともいずれか一方である、
請求項１または２に記載の紙製パレット。
【考案の詳細な説明】
【技術分野】
【０００１】
本考案は、物品の搬送、運搬等に用いる紙製パレットに関する。
【背景技術】
【０００２】
従来より、物品の搬送に木製パレットが用いられている。また、搬送時に物品がパレット上で動いて物品に損傷や故障が生じないように、物品の据付時に利用する物品自体のネジ孔等に木ネジをねじ込み、物品と木製パレットを固定する手段が取られている。一方、最近では、リサイクルや廃棄処理およびパレットの軽量化による輸送費の低減等の観点から、特許文献１に示されるような、紙製パレットの利用も提案されている。
【特許文献１】実登３０５５３９８号公報
【考案の開示】
【考案が解決しようとする課題】
【０００３】
しかし、紙製パレットに木製パレットと同様の方法で物品を固定しようとすると、物品が紙製パレットに十分に固定されないためぐらつきを起し、目的地に到達するまでにパレット上で物品が動いてしまう。その結果、物品の損傷や故障を引き起こす原因となる。また、ボルト・ナットを用いて紙製パレットに固定する方法も考えられるが、作業に要する工数を考慮すると好ましくない。
【０００４】
そこで、本考案の課題は、物品を容易にパレットに固定することができ、パレット上で物品のぐらつきを防止する紙製パレットを提供することにある。
【課題を解決するための手段】
【０００５】
第１考案に係る紙製パレットは、物品の搬送に用いる紙製パレットであって、パレット本体と、紙部材と、接合部材からなる。紙部材は、板状であり、前記パレット本体の第１面に設けられる。第１面とは、物品を載置する側のパレット本体の面である。接合部材は、紙部材とパレット本体を接合する。また、紙部材は、物品を固定するための固定部材がねじ込まれる。
【０００６】
本考案に係る紙製パレットでは、物品を固定するための固定部材が紙部材にねじ込まれて固定される。
【０００７】
したがって、紙製パレットを用いて物品を搬送する際、紙部材に固定部材をねじ込むことで、物品を紙製パレットに容易に固定することができ、また、物品の損傷や故障を防ぐことができる。
【０００８】
第２考案に係る紙製パレットは、第１考案に係る紙製パレットであり、第１紙部材と、第２紙部材とからなる。第１紙部材は、複数の所定厚の紙を隙間なく張り合わせた特殊紙から成り、パレット本体の第１面と接する。また、第２紙部材は、特殊紙を積層させた部材であり、第１紙部材に重ねて設けられる。さらに、紙部材のうち少なくとも第２紙部材は、固定部材としてのタッピンネジがねじ込まれる。
【０００９】
本考案に係る紙製パレットでは、紙部材が第１紙部材と第２紙部材の二つの部材からなり、パレット本体の上に第１紙部材、第１紙部材の上に第２紙部材が設けられる。また、固定部材としてのタッピンネジが少なくとも第２紙部材にねじ込まれ、物品を固定する。
【００１０】
したがって、本考案に係る紙製パレットは、第１紙部材の厚みと第２紙部材の厚みを変えることが可能である。すなわち、パレット本体と接する第１紙部材の厚みを薄くすることでパレット本体との接合を容易にし、固定部材がねじ込まれる第２紙部材の厚みを分厚くすることで、紙製パレットに固定部材をしっかりと固定させることが可能になる。
【００１１】
第３考案に係る紙製パレットは、第１または第２考案に係る紙製パレットであり、パレット本体は緩衝性のあるダンボール紙から成る。また、接合部材は、接着剤およびステープルのうち少なくともいずれか一方である
本考案に係る紙製パレットは、パレット本体が緩衝性のある紙からなるため、物品の搬送時に外部からの衝撃による物品の損傷や故障を防ぐことができる。
【考案の効果】
【００１２】
第１考案に係る紙製パレットでは、紙製パレットを用いて物品を搬送する際、紙部材に固定部材をねじ込むことで、物品を紙製パレットに容易に固定することができ、また、物品の損傷や故障を防ぐことができる。
【００１３】
第２考案に係る紙製パレットでは、第１紙部材の厚みと第２紙部材の厚みを変えることが可能である。すなわち、パレット本体と接する第１紙部材の厚みを薄くすることでパレット本体との接合を容易にし、固定部材がねじ込まれる第２紙部材の厚みを分厚くすることで、紙製パレットに固定部材をしっかりと固定させることが可能になる。
【００１４】
第３考案に係る紙製パレットでは、パレット本体が緩衝性のある紙からなるため、物品の搬送時に外部からの衝撃による物品の損傷や故障を防ぐことができる。
【考案を実施するための最良の形態】
【００１５】
以下、本考案の実施形態に係る紙製パレット１について図面を用いて説明する。
【００１６】
〈全体構成〉
図１は、本実施形態に係る紙製パレット１を示す図である。図２は、物品５０（本実施形態では送風機）を紙製パレット１上に固定させた状態を示す断面図である。但し、図２では、桁部１１と、第１紙部材２１と、第２紙部材２２のハッチングは省略する。紙製パレット１は、図２に示すように物品５０を固定した後、物品５０の上からダンボール紙製の蓋１２を被せて用いられる。ダンボール紙製の蓋１２は、外部からの衝撃による損傷や故障を防ぐために用いられる。また、図３に示すように、梱包用バンド６０や紐などで紙製パレット１と蓋１２が縛られる。このように、紙製パレット１は、物品を目的地まで搬送する際の梱包材としても用いられる。本実施形態に係る紙製パレット１は、約３０ｋｇから約２００ｋｇの重量物や３０ｋｇ未満の不安定な物品等を搬送する際に用いられ、特に、送風機など、据付用の孔が物品自体に備わっている物品を運ぶ際に用いられる。本考案に係る紙製パレット１は、主として、パレット本体１０と、紙部材２１，２２とからなる。詳細については以下に説明する。
【００１７】
〈各部の構成〉
（１）パレット本体１０の構成
パレット本体１０は、緩衝性のある部材であり、本実施形態ではダンボール紙を用いる。ダンボール紙は、１層、２層、３層のいずれのダンボール紙であってもよいが、本実施形態では、図４に示すように、２層ダンボール紙を用いる。また、パレット本体１０は、四角形の底面と、底面を取り囲む４辺から垂直方向上側に伸びる周側壁と、底面の下面に長手方向垂直に並んで設けられた複数の桁部１１と、からなる。周側壁の高さは、所望により変更可能であるが、本実施形態では、約１０ｃｍ〜約１５ｃｍである。桁部１１は、段ボール紙を積層して角柱状に構成されたものであり、フォークなどが差し込み可能なように、間隔をおいて複数接着されている。桁部１１は、パレット本体１０にボンドやのり等の接着剤で接着加工されている。なお、図２に示す紙製パレット１には、４本の桁部１１が接着加工されているが、桁部１１の数は所望により増減させてもよい。
【００１８】
（２）紙部材２１，２２の構成
紙部材は、第１紙部材２１と、第２紙部材２２から成る。第１紙部材２１は、所定厚の紙を複数枚隙間なく貼り合わせて作られた約２．０ｍｍ厚の特殊紙（合紙）を２枚積層した部材であり、厚さは約４ｍｍである。第２紙部材２２は、第１紙部材２１で用いた約２．０ｍｍ厚の特殊紙を４枚積層した部材であり、厚さは約８．０ｍｍである。特殊紙４枚は、ボンドやのり等の接着剤で接着されおり、所定の大きさに裁断されている。ここで、所定の大きさとは、紙製パレット１で搬送する物品５０の脚にあわせた縦横の幅である。第１紙部材２１は、上述のパレット本体１０の底面中央に、接合部材３０を用いて接合される。本実施形態で、接合部材３０は、のりおよびボンドなどの接着剤とダンボール用のステープルを用い、まず、接着剤でパレット本体１０と第１紙部材を接着した後、ステープルでワイヤー止めする。ステープルは、図１および図２に示すように、複数箇所で用いられる。図１および図２では、第２紙部材２２と隣り合う第１紙部材２１上の５箇所でステープルが用いられているが、その数や場所は限定されるものではない。第２紙部材２２は、物品の脚にあわせて裁断された２枚が、梱包する物品の脚の幅に合わせて間隔をおいて設けられ、第１紙部材２１の上に接着剤で接着される。
【００１９】
〈使用態様〉
本実施形態に係る紙製パレット１は、図４に示すように、固定部材５１で物品５０を紙製パレット１に固定する。固定部材５１は、少なくとも第２紙部材２２にねじ込まれ、物品５０を紙製パレット１に固定し、物品５０の搬送時に物品５０が紙製パレット１上で動いて傷が付いたり、故障したりしないようにする役割を有する。本実施形態で用いる固定部材５１は、タッピンネジ（tapping screw）であり、物品５０の据付用の孔を用いて紙製パレット１に物品５０を固定する。ここで、タッピンネジを差し込む位置は、第２紙部材２２の上であれば、どの位置であっても構わない。したがって、紙製パレット１に固定する物品５０の有するネジ孔等の位置にあわせて固定することができる。物品５０をタッピンネジで紙製パレット１に固定した後、紙製パレット１の大きさに合わせたダンボール紙製の蓋１２を被せ、梱包用バンド６０や紐などで紙製パレット１と蓋１２を縛って、物品５０を目的地まで搬送する。
【００２０】
〈特徴〉
１．本実施形態に係る紙製パレット１は、タッピンネジを固定させる第１紙部材２１および第２紙部材２２を備えており、第１紙部材２１および第２紙部材２２にねじ込まれたタッピンネジで物品５０を固定することにより物品のぐらつきを抑え、搬送中に生じる物品５０の損傷または故障を防ぐことができる。また、物品５０の有する据付用の孔等から第２紙部材２２にタッピンネジを直接ねじ込むだけで、タッピンネジが紙製パレット１に固定されるため、例えば、ボルトとナットを用いて固定する場合に比べ、梱包に要する工数を低減させることができる。また、物品の搬送先においても、紙製パレット１から物品５０を容易に取り外すことができるため、作業を効率的に行うことができる。なお、本実施形態では、搬送される物品５０として送風機を用いたが、物品据付用の孔を有するものであればその他の物品を搬送する際にも用いることができる。また、据付用の孔を有しない物品であっても、従来、物品とパレットを釘やネジ等で固定する手法を用いる物品については、適用することが可能である。
【００２１】
２．また、本実施形態に係る紙製パレット１を用いる際、その梱包に必要な部材としては、物品５０および紙製パレット１を固定するタッピンネジと、第１紙部材２１およびパレット本体１０を接合するダンボール用のステープルを除き、全て紙で構成されている。また、タッピンネジは取り外し容易で、ステープルはダンボール箱を形成する上で一般的に使用されており、ステープルのみを紙製品から分別することは容易であるため、リサイクルや廃棄処理の点からも有用である。
【００２２】
３．本実施形態に係る紙製パレット１は、第１紙部材２１および第２紙部材２２を備え、第１紙部材２１および第２紙部材２２の両方にタッピンネジをねじ込むことが可能である。また、第１紙部材２１は、主として、第２紙部材２２をパレット本体１０と接合させるために用いるため、第２紙部材を載せられるだけの大きさ（面積）は必要であるが、厚みは薄くて構わない。また、第２紙部材２２は、タッピンネジをねじ込み物品５０を固定するために用いられるため、物品５０の脚を載せられるだけの面積があればよい。第１紙部材２１および第２紙部材２２で用いられる紙は、所定厚の紙を複数枚、隙間なく貼り合わせて作られた特殊紙（合紙）であるが、その紙の使用を必要最低限に抑えることで、紙製パレット１の生産コストを低減させることが可能になる。
【００２３】
〈変形例〉
１．本実施形態の図１から図３に示す紙製パレット１では、パレット本体１０の底面が長方形であるが、パレット本体１０の底面の形状は長方形以外の形状であっても構わない。例えば、正方形であってもよい。
【００２４】
２．本実施形態に係る紙製パレット１では、パレット本体１０に角柱状の桁部１１が接着加工されたものを用いたが、角柱状の桁部１１の代わりに、積層されたダンボール紙をさいころ状に加工したブロックを複数個接着加工したものを用いてもよい。また、紙製パレット１は、桁部１１を有さないパレット本体１０を用いても構わない。
【００２５】
３．本実施形態では、接合部材３０として、ダンボール用のステープルおよび接着剤を用いたが、ステープルもしくは接着剤のいずれか一方のみでパレット本体１０と第１紙部材とを接合しても構わない。また、上記実施形態では、接着剤としてのりおよびボンドを挙げたが、これ以外の接着剤（例えば、テープ）であってもよい。
【００２６】
４．本実施形態で用いた特殊紙の厚みは、上記実施形態に挙げるものに限定されない。上記実施形態において第１紙部材２１および第２紙部材２２に用いたのは、２．０ｍｍ厚の特殊紙であったが、例えば、５．０ｍｍ厚または８．０ｍｍ厚の特殊紙であっても構わない。また、第１紙部材２１は、２．０ｍｍ厚の特殊紙を２枚積層した部材であったが、２．０ｍｍ厚または５．０ｍｍ厚の特殊紙の１枚からなる部材であっても構わない。また、第２紙部材２２は、２．０ｍｍ厚の特殊紙を４枚積層した部材であったが、５．０ｍｍ厚または８．０ｍｍ厚の特殊紙の１枚からなる部材であっても構わない。
【００２７】
５．本実施形態に係る紙製パレット１の使用に際し、物品５０を紙製パレット１に固定させる固定部材５１として、タッピンネジを用いたがその他のネジを用いても構わない。
６．本実施形態では、紙製パレット１にダンボール紙製の蓋１２を被せ、梱包用バンド６０で縛って物品５０を搬送したが、蓋１２および梱包用バンド６０等を用いずに物品５０の搬送を行っても構わない。
【００２８】
〈他の実施形態〉
以上、本考案の実施形態について図面に基づいて説明したが、具体的な構成は、これらの実施形態に限られるものではなく、考案の要旨を逸脱しない範囲で変更可能である。
【産業上の利用可能性】
【００２９】
本考案は、物品を容易にパレットに固定することができ、パレット上で物品のぐらつきを防止する紙製パレットとして有用である。
【図面の簡単な説明】
【００３０】
【図１】本実施形態に係る紙製パレットを示す図である。
【図２】本実施形態に係る紙製パレットに物品を固定した状態を示す断面図である。
【図３】本実施形態に係る紙製パレットを用いて物品を搬送する際の使用態様を示す図である。
【図４】本実施形態に係る紙製パレットにタッピンネジで物品を固定した際の断面図である。
【符号の説明】
【００３１】
１      紙製パレット
１０    パレット本体
１１    桁部
１２    蓋
２１    第１紙部材
２２    第２紙部材
３０    接合部材
５０    送風機
５１    固定部材（タッピンネジ）
６０    梱包用バンド
【図１】
0003134758.tif 000003
【図２】
0003134758.tif 000004
【図３】
0003134758.tif 000005
【図４】
0003134758.tif 000006